(57)【特許請求の範囲】
【請求項１】
外方に開放する開口部(32)が形成された筐体本体(16)の下部にボトムパネル(18)が配設され、前記ボトムパネル(18)は、前記筐体本体(16)における開口部(32)が画成された開口面部(12a)の外側に延出する一対の取付片(36,36)を固定ネジ(70)を介して該開口面部(12a)にネジ止めすることで該筐体本体(16)に固定され、前記開口部(32)を閉塞するパネル(54,86)が、該開口部(32)を側方から挟むよう前記開口面部(12a)に設けた一対の係止部(48,48)に引っ掛けられて筐体本体(16)に着脱自在に配設された筐体において、
前記筐体本体(16)に、前記係止部(48,48)より下方において前記開口部(32)の両側方に位置し、前記パネル(54,86)を支持する一対の取付手段(60,60/82,82)が設けられ、
前記取付手段(60,60/82,82)は、前記固定ネジ(70)を介して前記筐体本体(16)に固定される設置片(62)と、前記パネル(54,86)を支持する支持部(66,84)とを備えている
ことを特徴とする筐体のパネル取付構造。
【請求項２】
前記支持部は、前記筐体本体(16)の開口面部(12a)から離間するよう前記設置片(62)に設けられて、前記パネル(54)にネジ止めされる取付面部(66)で構成される請求項１記載の筐体のパネル取付構造。
【請求項３】
前記支持部は、前記パネル(86)に設けた被係止部(44a)を引っ掛けて支持する第２の係止部(84)で構成される請求項１記載の筐体のパネル取付構造。
【請求項４】
前記取付手段(60,82)は、前記パネル(54,86)における両取付手段(60,82)が並ぶ方向に対向する側部(42)に当接して該パネル(54,86)の両取付手段(60,82)が並ぶ方向への移動を規制する規制片(88)を備えている請求項１〜３の何れか一項に記載の筐体のパネル取付構造。
【発明の詳細な説明】
【技術分野】
【０００１】
この発明は、パネルを筐体に着脱自在に取付ける構造に関するものである。
【背景技術】
【０００２】
例えば、図５に示すように、氷塊を自動的に製造する自動製氷機１０は、一対のサイドパネル１２,１２およびバックパネル１４からなる前方および上下に開口した筐体本体１６と、該筐体本体１６の下部開口を閉塞するボトムパネル１８および筐体本体１６の上部開口を閉塞するトップパネル(図示せず)とから、前方に開口する筐体２０を構成している。前記筐体２０は、図示しない仕切板により内部の空間が上下に分割され、筐体２０の内部上方には所要量の氷塊が貯留される貯氷室２２が画成される。前記筐体２０の貯氷室２２と対応する前方開口部位は氷塊の取出口２４とされ、この取出口２４は、筐体２０に配設した開閉扉２６により開閉自在に閉成される。
【０００３】
また、筐体２０の下部空間は、冷凍装置２８等が配設される機械室３０とされ、この機械室３０に対応する筐体２０の前方開口は、該冷凍装置２８等をメンテナンスする便宜のための開口部３２とされる。そして、前記開口部３２は、筐体２０に対して着脱自在に取付けられるフロントパネル３４によって閉成される(特許文献１参照)。なお、前記ボトムパネル１８は、各隅部から上方に延出する４つの取付片３６を備え、該取付片３６をサイドパネル１２,１２の前後の端面に当接させた状態でネジ止めすることで、ボトムパネル１８がサイドパネル１２に固定されている。
【０００４】
図５に示すように、フロントパネル３４は、複数の通気孔３８が開設された矩形パネル４０と、該矩形パネル４０の周縁部から後方に延出するパネル壁部４２と、左右および上側のパネル壁部４２の後端部から内側(対向するパネル壁部４２側)へ向けて折曲げられた折曲部４４とからなり、全体として後方に開放する箱状を呈している。左右の折曲部４４,４４には、前後方向および内側(対向する折曲部４４側)に開放する係止凹部４６,４６が夫々形成され、各係止凹部４６の上縁部４６ａを、前記各サイドパネル１２の前端面１２ａに斜め前側上方に突出するよう設けた係止片(係止部)４８に引っ掛けることで、フロントパネル３４が筐体本体１６に着脱自在に取付けられる。
【先行技術文献】
【特許文献】
【０００５】
【特許文献１】特開２００８−１４５０７５号公報
【発明の概要】
【発明が解決しようとする課題】
【０００６】
ところで、図５に示す如く、係止凹部４６に係止片４８を引っ掛けてフロントパネル３４を筐体本体１６に取付ける構成では、例えば、使用者がフロントパネル３４に不用意に触れた際に、その触れた角度によってはフロントパネル３４が筐体２０から脱落してしまう難点がある。この場合は、使用者はフロントパネル３４を筐体本体１６に設置し直す必要に迫られ、使用者の負担となっていた。また、フロントパネル３４が筐体本体１６から脱落したことに使用者が気付かず、開口部３２が開放されたままになると、機内に害虫等が侵入して不衛生となったり、製氷機の運転に不具合が生じる虞もある。
【０００７】
そこで、本発明は、前述した従来の技術に内在している前記課題に鑑み、これを好適に解決するべく提案されたものであって、パネルを筐体本体に確実に取付けて、該パネルを筐体本体から脱落し難くし得る筐体のパネル取付構造を提供することを目的とする。
【課題を解決するための手段】
【０００８】
前述した課題を解決し、所期の目的を好適に達成するため、本願の請求項１に係る発明の筐体のパネル取付構造は、外方に開放する開口部が形成された筐体本体の下部にボトムパネルが配設され、前記ボトムパネルは、前記筐体本体における開口部が画成された開口面部の外側に延出させた一対の取付片を固定ネジを介して該開口面部にネジ止めすることで該筐体本体に固定され、前記開口部を閉塞するパネルが、該開口部を側方から挟むよう前記開口面部に設けた一対の係止部に引っ掛けられて筐体本体に着脱自在に配設された筐体において、前記筐体本体に、前記係止部より下方において前記開口部の両側方に位置し、前記パネルを支持する一対の取付手段が設けられ、前記取付手段は、前記固定ネジを介して前記筐体本体に固定される設置片と、前記パネルを支持する支持部とを備えていることを特徴とする。
請求項１の発明によれば、係止部に加えて、取付手段によりパネルを支持する構成としたので、パネルを４箇所でしっかりと支持して該パネルを筐体本体から脱落し難くし得る。また、取付手段の設置片は、固定ネジを利用して筐体本体に固定されるので、設置片を固定するための固定部材を別途必要とせず、部品点数を抑制して製品コストを抑え得る。更に、既存の固定ネジを利用することで、従来のパネル取付構造を大幅に設計変更することなく取付手段を筐体本体に設置することができる。
【０００９】
請求項２に係る筐体のパネル取付構造では、前記支持部は、前記筐体本体の開口面部から離間するよう前記設置片に設けられて、前記パネルにネジ止めされる取付面部で構成される。
請求項２の発明によれば、パネルは、取付面部にネジ止めされるので、パネルを筐体本体に確実に固定でき、該パネルを筐体本体から脱落し難くし得る。
【００１０】
請求項３に係る筐体のパネル取付構造では、前記支持部は、前記パネルに設けた被係止部を引っ掛けて支持する第２の係止部で構成される。
請求項３の発明によれば、パネルを係止部および第２の係止部に引っ掛けるだけで、容易に筐体本体に取付けることができ、パネルの筐体本体への着脱作業を効率的にし得る。
【００１１】
請求項４に係る筐体のパネル取付構造では、前記取付手段は、前記パネルにおける両取付手段が並ぶ方向に対向する側部に当接して該パネルの両取付手段が並ぶ方向への移動を規制する規制片を備えている。
請求項４の発明によれば、規制片がパネルの両取付手段が並ぶ方向への移動を規制するので、パネルの位置がズレるのを防止することができる。また、パネルを筐体本体に取付ける際に、両規制片でパネルを案内することができ、パネルの取付作業を効率的かつ正確に行ない得る。
【発明の効果】
【００１２】
本発明に係る筐体のパネル取付構造によれば、パネルを筐体本体から脱落し難くし得る。
【図面の簡単な説明】
【００１３】
【図１】実施例１に係る筐体のパネル取付構造が実施された自動製氷機の要部を示す分解斜視図である。
【図２】実施例１に係る筐体のパネル取付構造を示す拡大縦断面図である。
【図３】実施例２に係る筐体のパネル取付構造が実施された自動製氷機の要部を示す分解斜視図である。
【図４】実施例２に係る筐体のパネル取付構造を示す拡大縦断面図である。
【図５】従来例に係る筐体のパネル取付構造が実施された自動製氷機を示す分解斜視図である。
【発明を実施するための形態】
【００１４】
次に、本発明に係る筐体のパネル取付構造につき、好適な実施例を挙げて、添付図面を参照しながら以下説明する。なお、実施例では、本発明のパネル取付構造を自動製氷機に適用した場合で説明する。また、以下の説明において、「上」、「下」、「左」、「右」、「前」、「後」とは、自動製氷機を図１の状態で見て開閉扉が取付けられた側を「前」とした場合を基準とする。なお、従来例と同一の部材については、同じ符号を付して詳細な説明は省略する。
【実施例１】
【００１５】
図１は、実施例１に係る筐体のパネル取付構造が実施された自動製氷機５０を示す分解斜視図である。実施例に係る自動製氷機５０は、従来例で説明した自動製氷機１０と基本的に同様な構成であって、一対のサイドパネル１２,１２およびバックパネル(図示せず)から上下および前方(外方)に開放する筐体本体１６を備えている。筐体本体１６の上部開口は、図示しないトップパネルにより閉塞されると共に、筐体本体１６の下部開口は、ボトムパネル１８により閉塞され、全体で前方に開口する筐体２０を構成している。
【００１６】
前記筐体２０の内部上方には、所要量の氷塊が貯留される貯氷室２２が画成される。また、筐体２０の前方開口における貯氷室２２と対応する部位は氷塊の取出口２４とされ、この取出口２４は、筐体２０に配設した開閉扉２６により開閉自在に閉成される。また、筐体２０の内部下方には、冷凍装置２８等が配設される機械室３０が画成され、この機械室３０に対応する筐体２０の前方開口は、該冷凍装置２８等のメンテナンス用の開口部３２とされる。すなわち、前記開口部３２は、両サイドパネル１２,１２、ボトムパネル１８および開閉扉２６の下縁部により画成されており、開口部３２を規定する両サイドパネル１２,１２の前端面１２ａ,１２ａが筐体本体１６の開口面部を構成している。
【００１７】
前記ボトムパネル１８は、矩形薄板状の金属板から構成され、その四隅にボトムパネル１８を筐体本体１６に取付けるための取付片３６が上方に突出して設けられている。前側の取付片３６,３６は、対応するサイドパネル１２の前端面１２ａの前方を該前端面１２ａから僅かに離間して延在している(図２参照)。一方、後側の取付片３６(図１では、右側の取付片３６のみ図示)は、対応するサイドパネル１２の後端面に当接している。各取付片３６には、後述する固定ネジ７０が挿通される通孔３６ａが前後方向に開設されている。また、図２に示すように、各サイドパネル１２の前端面１２ａには、前記取付片３６の通孔３６ａに対応するネジ孔１２ｂが前方に開放して形成されている。各サイドパネル１２の前端面１２ａには、前記ボトムパネル１８から所定間隔上方に位置して、開口部３２を閉成するフロントパネル(パネル)５４を取付けるための係止部材５６が設けられている。この係止部材５６は、矩形状の取付板部５８と、該取付板部５８の上縁部から斜め前側上方へ延出する係止片(係止部)４８とから構成されており、取付板部５８に螺挿したネジ５８ａにより係止部材５６がサイドパネル１２にネジ止めされている。両係止部材５６,５６は、前記開口部３２を左右方向(側方)から挟むようサイドパネル１２の前端面１２ａに同じ高さで設けられている。
【００１８】
前記サイドパネル１２の前端面１２ａにおける下端部には、前記係止部材５６の下方において前記開口部３２の両側方に位置するよう取付ブラケット(取付手段)６０が設けられている。この取付ブラケット６０は、矩形板状の設置片６２と、該設置片６２の上縁部から前方に延出する延出部６４と、該延出部６４の前端縁から下方に延出する取付面部(支持部)６６とから構成されている。前記設置片６２には、前後方向に開放する逃げ溝部６８が内側の側縁部(右側の取付ブラケット６０では、左側縁部、左側の取付ブラケット６０では、右側縁部)から水平方向に凹設されている。前記取付面部６６は、矩形状の板部材であって、サイドパネル１２の前端面１２ａから離間するよう前記設置片６２に設けられている。また、取付面部６６には、前後方向に開放するネジ孔６６ａが開設されている。
【００１９】
各取付ブラケット６０は、前側の前記取付片３６および固定ネジ７０を介してサイドパネル１２に固定されている。すなわち、取付片３６およびサイドパネル１２の前端面１２ａの間に設置片６２を臨ませ、取付片３６の通孔３６ａおよび設置片６２の逃げ溝部６８を介してサイドパネル１２のネジ孔１２ｂに固定ネジ７０を螺挿することで、設置片６２が取付片３６の後面およびサイドパネル１２の前端面１２ａで挟持され、取付ブラケット６０がサイドパネル１２に取付けられる(図２参照)。
【００２０】
前記フロントパネル５４は、複数の通気孔３８が開設された矩形パネル４０と、該矩形パネル４０の周縁部から後方に延出するパネル壁部(側部)４２と、左右および上側のパネル壁部４２の後端部から内側(対向するパネル壁部４２側)へ向けて折曲げられた折曲部４４とから後方に開放する箱状に形成されている。左右の折曲部４４,４４には、前後方向および内側に開放して、対応する係止部材５６の係止片４８に係止する係止凹部４６が夫々凹設されている。また、左右の折曲部４４,４４の下端は、下側のパネル壁部４２から所定間隔離間している。前記矩形パネル４０には、前記取付面部６６のネジ孔６６ａに対応する通孔４０ａが前後方向に開放して形成されている。
【００２１】
ここで、前記パネル壁部４２の後方への突出量は、取付ブラケット６０の延出部６４の前方への延出量と略一致している。従って、フロントパネル５４の係止凹部４６の上縁部４６ａに係止部材５６の係止片４８を係止させて、左右の折曲部４４,４４の後面を対応のサイドパネル１２の前端面１２ａに当接させた際に、図２に示す如く、前記取付ブラケット６０の取付面部６６の前面が矩形パネル４０の後面に当接するよう構成されている。そして、矩形パネル４０の通孔４０ａを介して締結ネジ７２を取付面部６６のネジ孔６６ａに螺挿することで、フロントパネル５４が取付ブラケット６０を介して筐体本体１６に着脱自在に取付けられる。ここで、前記締結ネジ７２は、軸部７２ａに対して大径な皿状の頭部７２ｂを備えた所謂化粧ネジであって、該締結ネジ７２は、ドライバー等の工具を必要とせず、使用者が直接手で締結・解除し得るようになっている。
【００２２】
(実施例１の作用)
次に、実施例１の筐体のパネル取付構造の作用について説明する。先ず始めに、取付ブラケット６０を筐体本体１６に取付ける際には、前側の取付片３６およびサイドパネル１２の前端面１２ａの間に設置片６２を臨ませた状態で、取付片３６の通孔３６ａおよび設置片６２の逃げ溝部６８を介してサイドパネル１２のネジ孔１２ｂに固定ネジ７０を螺挿する。すると、設置片６２が取付片３６の後面およびサイドパネル１２の前端面１２ａで挟持されて、取付ブラケット６０が筐体本体１６に取付けられる。すなわち、取付片３６と共に設置片６２を固定ネジ７０で共締めすることで、取付ブラケット６０を筐体本体１６に取付けることができ、取付ブラケット６０を取付けるための部材を別途必要とせず、製品コストを抑制し得る。しかも、設置片６２は、取付片３６およびサイドパネル１２の前端面１２ａで挟持されるので、該設置片６２が筐体本体１６に安定的に固定され、取付ブラケット６０を正確に設置することが可能となる。
【００２３】
次に、フロントパネル５４を筐体本体１６に取付ける際には、フロントパネル５４の係止凹部４６の上縁部４６ａに係止部材５６の係止片４８を係止させ、フロントパネル５４を両係止部材５６,５６に引っ掛ける。すると、図２に示すように、フロントパネル５４の折曲部４４がサイドパネル１２の前端面１２ａに当接すると共に、矩形パネル４０の後面に取付ブラケット６０の取付面部６６の前面が当接する。そして、取付面部６６のネジ孔６６ａに整合した矩形パネル４０の通孔４０ａを介して該ネジ孔６６ａに締結ネジ７２を螺挿することで、フロントパネル５４が筐体本体１６にネジ止めされる。このとき、使用者は、締結ネジ７２を直接手で締結し得るので、フロントパネル５４の筐体本体１６への取付作業は容易に行ない得る。
【００２４】
このように、実施例１に係る筐体のパネル取付構造によれば、左右の係止部材５６,５６および左右の取付ブラケット６０,６０の計４箇所でフロントパネル５４を支持するので、従来の取付構造に較べて、フロントパネル５４を筐体本体１６にしっかりと取付けることができる。従って、フロントパネル５４が筐体本体１６から脱落し難くなって、使用者の負担を軽減し得る。しかも、フロントパネル５４は、取付ブラケット６０の取付面部６６にネジ止めされるので、フロントパネル５４が筐体本体１６に確実に固定されて、該フロントパネル５４が筐体本体１６から脱落することはない。
【００２５】
ここで、実施例１における取付ブラケット６０は、既存の自動製氷機１０の取付片３６を利用して筐体本体１６に取付けることも可能である。この場合、先ず始めに、固定ネジ７０を若干緩めて、取付片３６およびサイドパネル１２の前端面１２ａの間に隙間を形成する。そして、この隙間に前記取付ブラケット６０の設置片６２を挿入し、該設置片６２の逃げ溝部６８に固定ネジ７０を臨ませたもとで、固定ネジ７０を再び締め直す。これにより、設置片６２が取付片３６およびサイドパネル１２の前端面１２ａに挟持されて、取付ブラケット６０が筐体本体１６に取付けられる。このように、ボトムパネル１８をサイドパネル１２に固定する既存の取付片３６および固定ネジ７０を利用して取付ブラケット６０を筐体本体１６に取付け得るので、従来の自動製氷機１０を大幅に設計変更する必要がなく、製品コストが嵩むのを抑制し得る。
【００２６】
なお、フロントパネル５４を筐体本体１６から取外す際には、上記と逆の手順により行なわれる。すなわち、フロントパネル５４の締結ネジ７２を取外して、フロントパネル５４を取付ブラケット６０から分離させる。次に、フロントパネル５４を上方へ持ち上げ、係止部材５６の係止片４８からフロントパネル５４の係止凹部４６を離脱させることで、フロントパネル５４を筐体本体１６から取外すことができる。
【実施例２】
【００２７】
次に、実施例２に係る筐体のパネル取付構造について、以下説明を行う。なお、実施例２では、実施例１と相違する箇所についてのみ説明を行い、実施例１と同一の部材については、同じ符号を付して説明を省略する。
【００２８】
図３は、実施例２に係る筐体のパネル取付構造が実施された自動製氷機８０の要部を示す分解斜視図である。実施例２では、取付ブラケット(取付手段)８２は、矩形板状の設置片６２と、該設置片６２の上縁部から前側斜め上方に延出するブラケット係止片(第２の係止部,支持部)８４と、該設置片６２の外側の縁部(右側の取付ブラケット８２では、右側縁部、左側の取付ブラケット８２では、左側縁部)から前方へ延出してフロントパネル(パネル)８６のパネル壁部(両取付ブラケット８２,８２が並ぶ方向に対向する側部)４２の内面に当接する規制片８８とから構成される。前記規制片８８は、矩形状の薄板部材であって、設置片６２に対し略直交している。
【００２９】
前記取付ブラケット８２は、実施例１と同様に、前側の取付片３６および固定ネジ７０を介してサイドパネル１２に固定されている。すなわち、取付片３６およびサイドパネル１２の前端面１２ａの間に設置片６２を臨ませ、図４に示すように、取付片３６の通孔３６ａおよび設置片６２の逃げ溝部６８を介してサイドパネル１２のネジ孔１２ｂに固定ネジ７０を螺挿して、設置片６２が取付片３６の後面およびサイドパネル１２の前端面１２ａで挟持されることで、取付ブラケット８２がサイドパネル１２に取付けられる。取付ブラケット８２がサイドパネル１２に取付けられた状態では、前記規制片８８がサイドパネル１２の前端面１２ａから前方に延出して、左右の規制片８８,８８が対向するようになっている。両規制片８８,８８における外面間の離間距離は、フロントパネル８６のパネル壁部４２,４２における内面間の離間距離と略一致するようになっている。
【００３０】
実施例２のフロントパネル８６は、左右の折曲部４４,４４の下端部が被係止部４４ａ,４４ａとされて、両被係止部４４ａ,４４ａにブラケット係止片８４,８４が係止することで、フロントパネル８６が取付ブラケット８２,８２に支持されるようになっている。すなわち、実施例２のフロントパネル８６は、係止片４８,４８およびブラケット係止片８４,８４に引っ掛けられた状態で、筐体本体１６に取付けられるようになっている。また、フロントパネル８６を筐体本体１６に取付ける際に、左右の規制片８８,８８の外面がフロントパネル８６のパネル壁部４２,４２の内面に当接することで、フロントパネル８６が案内されるようになっている。これにより、フロントパネル８６の筐体本体１６への取付作業をスムーズかつ確実に行なうことが可能となる。なお、実施例２では、締結ネジ７２を用いずにフロントパネル８６を取付け得るので、実施例１と異なり、矩形パネル４０に締結ネジ７２を挿通するための通孔４０ａは開設されていない。
【００３１】
フロントパネル８６が筐体本体１６に取付けられた状態では、左右の規制片８８,８８の外面がパネル壁部４２,４２の内面に当接するよう構成される(図４には、左側の取付ブラケット８２の規制片８８を図示)。すなわち、フロントパネル８６は、左右の規制片８８,８８により左右方向(両取付ブラケット８２,８２が並ぶ方向)への移動が規制されるので、フロントパネル８６を左右にズレることなく正確に筐体本体１６に取付けることができる。また、取付けた後も、規制片８８,８８によりフロントパネル８６の左右への移動が規制されるので、使用者がフロントパネル８６に触れてしまったとしても、該フロントパネル８６が筐体本体１６から脱落し難くし得る。しかも、規制片８８,８８がフロントパネル８６の内部に臨んで、該規制片８８,８８が外側から視認不能となるので、フロントパネル８６の外観が損なわれることもない。
【００３２】
このように、実施例２に係る筐体のパネル取付構造によれば、実施例１と同様に、フロントパネル８６を４箇所でしっかりと支持し得るので、フロントパネル８６を筐体本体１６から脱落し難くし得る。また、取付ブラケット８２の設置片６２は、ボトムパネル１８の取付片３６および固定ネジ７０を利用して筐体本体１６に固定されるので、設置片６２を固定するための固定部材を別途必要とせず、部品点数を抑制して製品コストを抑え得る。更に、既存の取付片３６および固定ネジ７０を利用することで、大幅な設計変更を要することなく取付ブラケット８２を筐体本体１６に設置することができる。しかも、実施例２では、係止片４８およびブラケット係止片８４に引っ掛けるだけで簡単にフロントパネル８６を筐体本体１６に取付け得るので、フロントパネル８６の着脱作業を効率的にし得る。また、実施例１の如く、締結ネジ７２がフロントパネル８６の前面に露出することがないので、フロントパネル８６の意匠性を向上し得る。
【００３３】
なお、本発明に係る筐体のパネル取付構造としては、実施例１および２の構成に限定されず、以下の如き変更が可能である。
(１) 実施例１の取付ブラケットは、実施例２の規制片を備えていなかったが、実施例１の取付ブラケットに規制片を設けてもよい。また、実施例２では、規制片の外面がフロントパネルのパネル壁部の内面に当接する構成としたが、規制片の内面がパネル壁部の外面に当接するようにしてもよい。
(２) 実施例１および２では、安定性の観点から設置片を取付片およびサイドパネルの前端面で挟持した状態で固定ネジで筐体本体に固定する構成とした。しかしながら、取付手段を筐体本体に安定して固定し得るのであれば、必ずしも設置片を挟持する必要はなく、固定ネジのみで設置片を筐体本体に固定してもよい。例えば、設置片を取付片の前面に当接させた状態で固定ネジで設置片および取付片を共締めすることで、該設置片を筐体本体に固定する構成であってもよい。すなわち、設置片は、固定ネジを介して筐体本体に固定される構成であればよい。
(３) 係止部(係止片)や第２の係止部(ブラケット係止片)の構成は、実施例１および２に限定される訳でなく、パネルを引っ掛けて保持し得るものであれば、各種の構成を採用し得る。例えば、係止部および第２の係止部として凹部または孔部を採用し、パネルに設けた突起片が凹部または孔部に挿通係合することで、フロントパネルが引っ掛けられる構成としてもよい。
(４) 実施例１および２では、開口面部としてのサイドパネルの前端面に取付ブラケット(取付手段)を取付ける構成としたが、必ずしも、この構成に限定される訳ではない。例えば、４面が閉塞された箱体の一面に開口部が形成された構成を採用した場合には、開口部が形成された一面が開口面部とされて、当該開口面部に取付手段を取付ける構成としてもよい。
(５) 実施例１および２では、自動製氷機の筐体にフロントパネルを取付ける場合を例示したが、本発明に係るパネル取付構造を採用し得る筐体としては、自動製氷機に限定されず、冷蔵庫や保管庫等、各種の筐体に採用することが可能である。
(６) 実施例１および２では、自動製氷機の開閉扉を設けた側に開口部を設け、当該開口部を設けた側を便宜上「前方」とした。しかしながら、開口部を設ける箇所は、筐体の何れの面でもよく、例えば、開閉扉を設けた側とは反対側の面(実施例１および２のバックパネル)に開口部を設けてもよい。
【符号の説明】
【００３４】
１２ａ 前端面(開口面部)，１６ 筐体本体，１８ ボトムパネル，３２ 開口部
３６ 取付片，４２ パネル壁部(側部)，４４ａ 被係止部，４８ 係止片(係止部)
５４ フロントパネル(パネル，実施例１)，６０ 取付ブラケット(取付手段，実施例１)
６２ 設置片，６６ 取付面部(支持部)，７０ 固定ネジ
８２ 取付ブラケット(取付手段，実施例２)
８４ ブラケット係止片(第２の係止部，支持部)
８６ フロントパネル(パネル，実施例２)，８８ 規制片
【図１】
0005405411.tif 000002
【図２】
0005405411.tif 000003
【図３】
0005405411.tif 000004
【図４】
0005405411.tif 000005
【図５】
0005405411.tif 000006